(57)【要約】【課題】シート状物の下面に塗布したニスやインキが剥離したり、下面側に傷が付いたりすることを防止する。【解決手段】紙４０の搬送経路の下方に、耐熱ガラス３８Ｃとこの耐熱ガラス３８Ｃの紙４０の搬送方向下流側に案内板３９Ｃとが設けられている。案内板３９Ｃの吐出孔４３Ｃからの空気４５Ｃは、紙４０の搬送方向上流側と紙４０の幅方向との中間方向を指向しかつ紙４０の下面を沿うように吐出される。紙４０の上方から別の空気が紙４０に吹き付けられている。耐熱ガラス３８Ｃの下方には、紙４０の下面を乾燥する赤外線ランプが設けられている。【選択図】        図５
2004291335.tif 000002
【特許請求の範囲】
【請求項１】
シート状物を搬送する搬送手段と、
この搬送手段によって搬送されるシート状物の搬送経路の下方に設けられ、下面に印刷またはコーティングされたシート状物を乾燥させる下面乾燥用ユニットとを備えたシート状物の乾燥機において、
前記下面乾燥用ユニットを、
下面乾燥用ランプと、
この下面乾燥用ランプの上方に設けられた透明板と、
この透明板の前記シート状物の搬送方向下流側に設けられた第１の案内板とで構成し、
前記第１の案内板に少なくとも一部が前記透明板の上方を通過するように空気を吐出する第１の吐出孔を設けたことを特徴とするシート状物の乾燥機。
【請求項２】
請求項１記載のシート状物の乾燥機において、
前記第１の吐出孔から吐出される空気が、前記シート状物の幅方向と、前記シート状物の搬送方向上流側との中間方向を指向していることを特徴とするシート状物の乾燥機。
【請求項３】
請求項１記載のシート状物の乾燥機において、
前記透明板と前記第１の案内板との上面が略同一平面をなすように配設されていることを特徴とするシート状物の乾燥機。
【請求項４】
請求項１記載のシート状物の乾燥機において、
前記下面乾燥用ランプの前記シート状物の搬送方向上流側に隣接し、前記シート状物の搬送経路の下方に設けられた第２の案内板を備え、
前記第２の案内板に空気を吐出する第２の吐出孔を設け、
前記第２の吐出孔から吐出される空気は、前記第１の吐出孔から吐出される空気よりも高温であることを特徴とするシート状物の乾燥機。
【請求項５】
請求項１記載のシート状物の乾燥機において、
前記下面乾燥用ユニットと対向し前記シート状物の搬送経路の上側に、シート状物の上面を乾燥するための上面乾燥用ランプおよび上面用空気吹き手段を備えた上面乾燥用ユニットを設けたことを特徴とするシート状物の乾燥機。
【請求項６】
請求項５記載のシート状物の乾燥機において、
前記上面乾燥用ランプを前記案内板に対向させたことを特徴とするシート状物の乾燥機。
【請求項７】
請求項５記載のシート状物の乾燥機において、
前記上面乾燥用ユニットは、
上面乾燥用ランプと、
この上面乾燥用ランプの前記シート状物の搬送方向上流側に隣接し、吹き出される空気の温度が相対的に高い第１の上面用空気吹き手段と、
前記上面乾燥用ランプの前記シート状物の搬送方向下流側に隣接し、吹き出される空気の温度が相対的に低い第２の上面用空気吹き手段とによって構成したことを特徴とするシート状物の乾燥機。
【請求項８】
請求項１記載のシート状物の乾燥機において、
前記下面乾燥用ユニットの前記シート状物の搬送方向下流側に隣接し前記シート状物の搬送経路の下方に設けられ、前記シート状物の幅方向と前記シート状物の搬送方向上流側との中間方向を指向し空気を吐出する吐出孔が設けられた下面用空気吹き手段と、
この下面用空気吹き手段と対向し前記シート状物の上面を乾燥するための上面乾燥用ユニットとを備えたことを特徴とするシート状物の乾燥機。
【請求項９】
請求項１記載のシート状物の乾燥機において、
前記下面乾燥用ユニットの前記シート状物の搬送方向上流側に隣接し前記シート状物の搬送経路の下方に設けられ空気を吐出する吐出孔が設けられた下面用空気吹き手段と、
この下面用空気吹き手段と対向し前記シート状物の上面を乾燥するための上面乾燥用ユニットとを備えたことを特徴とするシート状物の乾燥機。
【発明の詳細な説明】
【０００１】
【発明の属する技術分野】
本発明は、下面（裏面）および上面（表面）または下面のみを印刷またはニスを塗布したシート状物を乾燥するシート状物の乾燥機に関する。
【０００２】
【従来の技術】
従来のシート状物の乾燥機は、印刷ユニットと排紙部との間に、紙の両面を乾燥する上下のドライヤーが、紙の搬送経路を挟んで設けられている。（例えば、特許文献１参照。）。
【０００３】
なお、本出願人は、本明細書に記載した先行技術文献情報で特定される先行技術文献以外には、本発明に密接に関連する先行技術文献を出願時までに見付け出すことはできなかった。
【０００４】
【特許文献１】
特開平１０−２９６９５３号公報（段落「００２１」「００２６」、図２）
【０００５】
【発明が解決しようとする課題】
上述した従来のシート状物の乾燥機においては、ニスが塗布された紙や印刷された紙を搬送したときに、紙の後端側が垂れて下方のドライヤーに接触するために紙の下面に塗布したニスやインキが剥離したり、下面側に傷が付いたりするという問題があった。
【０００６】
本発明は上記した従来の問題に鑑みなされたものであり、その目的とするところは、シート状物の下面に塗布したニスやインキが剥離したり、下面側に傷が付いたりするのを防止することにある。
【０００７】
【課題を解決するための手段】
この目的を達成するために、請求項１に係る発明は、シート状物を搬送する搬送手段と、この搬送手段によって搬送されるシート状物の搬送経路の下方に設けられ、下面に印刷またはコーティングされたシート状物を乾燥させる下面乾燥用ユニットとを備えたシート状物の乾燥機において、前記下面乾燥用ユニットを、下面乾燥用ランプと、この下面乾燥用ランプの上方に設けられた透明板と、この透明板の前記シート状物の搬送方向下流側に設けられた第１の案内板とで構成し、前記第１の案内板に少なくとも一部が前記透明板の上方を通過するように空気を吐出する第１の吐出孔を設けたものである。
したがって、搬送手段によって搬送されたシート状物は、透明板と案内板との上を通過するときに空気によって浮き上がった状態で下面が乾燥させられる。
【０００８】
また、請求項２に係る発明は、請求項１に係る発明において、前記第１の吐出孔から吐出される空気が、前記シート状物の幅方向と、前記シート状物の搬送方向上流側との中間方向を指向している。
したがって、空気がシート状物の幅方向から放出される。
【０００９】
また、請求項３に係る発明は、請求項１に係る発明において、前記透明板と前記第１の案内板との上面が略同一平面をなすように配設されている。
したがって、案内板の吐出孔から吐出された空気が透明板上を通過するときに乱流が発生しない。
【００１０】
また、請求項４に係る発明は、請求項１に係る発明において、前記下面乾燥用ランプの前記シート状物の搬送方向上流側に隣接し、前記シート状物の搬送経路の下方に設けられた第２の案内板を備え、前記第２の案内板に空気を吐出する第２の吐出孔を設け、前記第２の吐出孔から吐出される空気は、前記第１の吐出孔から吐出される空気よりも高温である。
したがって、シート状物の下面はシート状物の搬送方向上流側において乾燥させられ、下流側において冷却される。
【００１１】
また、請求項５に係る発明は、請求項１に係る発明において、前記下面乾燥用ユニットと対向し前記シート状物の搬送経路の上側に、シート状物の上面を乾燥するための上面乾燥用ランプおよび上面用空気吹き手段を備えた上面乾燥用ユニットを設けたものである。
したがって、シート状物の上下両面とが上面乾燥用ユニットと下面乾燥用ユニットとによってそれぞれ乾燥させられる。
【００１２】
また、請求項６に係る発明は、請求項５に係る発明において、前記上面乾燥用ランプを前記案内板に対向させたものである。
したがって、案内板が上面乾燥用ランプによって加熱される。
【００１３】
また、請求項７に係る発明は、請求項５に係る発明において、前記上面乾燥用ユニットは、上面乾燥用ランプと、この上面乾燥用ランプの前記シート状物の搬送方向上流側に隣接し、吹き出される空気の温度が相対的に高い第１の上面用空気吹き手段と、前記上面乾燥用ランプの前記シート状物の搬送方向下流側に隣接し、吹き出される空気の温度が相対的に低い第２の上面用空気吹き手段とによって構成したものである。
したがって、シート状物の上面はシート状物の搬送方向上流側において乾燥され下流側において冷却される。
【００１４】
また、請求項８に係る発明は、請求項１に係る発明において、前記下面乾燥用ユニットの前記シート状物の搬送方向下流側に隣接し前記シート状物の搬送経路の下方に設けられ、前記シート状物の幅方向と前記シート状物の搬送方向上流側との中間方向を指向し空気を吐出する吐出孔が設けられた下面用空気吹き手段と、この下面用空気吹き手段と対向し前記シート状物の上面を乾燥するための上面乾燥用ユニットとを備えたものである。
したがって、シート状物は下面乾燥用ユニットによって下面が乾燥された後に、上面乾燥用ユニットによって上面が乾燥される。
【００１５】
また、請求項９に係る発明は、請求項１に係る発明において、前記下面乾燥用ユニットの前記シート状物の搬送方向上流側に隣接し前記シート状物の搬送経路の下方に設けられ空気を吐出する吐出孔が設けられた下面用空気吹き手段と、この下面用空気吹き手段と対向し前記シート状物の上面を乾燥するための上面乾燥用ユニットとを備えたものである。
したがって、シート状物は下面乾燥用ユニットによって下面が乾燥される以前に、上面乾燥用ユニットによって上面が乾燥させられる。
【００１６】
【発明の実施の形態】
以下、本発明の実施の形態を図に基づいて説明する。図１は本発明に係るシート状物の乾燥機が適用された枚葉輪転印刷機の側面図、図２は同じくコーティング装置の胴の配列を示す側面図、図３は同じく乾燥装置の上流側の半分を示す側面図、図４は同じく乾燥装置の下流側の半分を示す側面図、図５は下面乾燥機の一部を示す平面図である。
【００１７】
図６は図３におけるＶＩ矢視図、図７は図３における  ＶＩＩ矢視図、図８は紙が浮き上がる原理を説明するためのモデル図であって、同図（ａ）は案内板の吐出孔から空気が吐出されている状態を示し、同図（ｂ）は紙の下側に案内板の吐出孔から吐出された空気が通過し、かつ上面用空気吹き手段から空気を紙の上面に吹き付けている状態を示す。
【００１８】
図１において、全体を符号１で示す枚葉輪転印刷機は、シート状物としての紙を給紙する給紙部２と、給紙された紙を印刷する印刷部３と、印刷された紙の上面および下面（表面および裏面）にニスをコーテイングするコーティング部４と、コーティングされた紙が排紙される排紙部５とによって構成されている。印刷部３は、４台の第１ないし第４の上面印刷ユニット７Ａないし７Ｄと、４台の第１ないし第４の下面印刷ユニット８Ａないし８Ｄとからなる。
【００１９】
前記各上面印刷ユニット７Ａないし７Ｄには、周面に紙をくわえる爪が設けられた倍径の圧胴１０ａと、この圧胴１０ａの上部において対接するゴム胴１１ａと、このゴム胴１１ａの上部において対接する版胴１２ａと、この版胴１２ａにインキを供給するインキ部１３ａとが備えられている。
【００２０】
前記各下面印刷ユニット８Ａないし８Ｄには、周面に紙をくわえる爪が設けられた倍径の圧胴１０ｂと、この圧胴１０ｂの下部において対接するゴム胴１１ｂと、このゴム胴１１ｂの下部において対接する版胴１２ｂと、この版胴１２ｂにインキを供給するインキ部１３ｂとが備えられている。
【００２１】
このような構成において、給紙部２からフィーダボード１５に供給された紙の先端は、スイング装置１６にくわえられて第１の上面印刷ユニット７Ａの圧胴１０ａの爪にくわえ替えられ、圧胴１０ａとゴム胴１１ａとの対接点を通過するときに上面に１色目が印刷される。
【００２２】
次いで、上面に１色目が印刷された紙は、第１の下面印刷ユニット８Ａの圧胴１０ｂにくわえ替えられ、圧胴１０ｂとゴム胴１１ｂとの対接点を通過するときに下面に１色目が印刷される。
【００２３】
順次、第２ないし第４の上面印刷ユニット７Ｂないし７Ｄおよび第２ないし第４の下面印刷ユニット８Ｂないし８Ｄによって、上下面に４色印刷された紙は、後述するようにコーティングユニット４によって上下面にニスがコーティングされる。コーティングされた紙は、排紙部５の前後のスプロケット１８，１９間に張架された排紙チェーン２０の排紙爪にくわえ替えられ、排紙チェーン２０によって搬送された後、排紙パイル２１上に落下し積載される。
【００２４】
次に、図２を用いてコーティングユニット４について説明する。
同図に示すように、コーティングユニット４は、第４の下面印刷ユニット８Ｄの圧胴１０ｂに対接するゴム圧胴２２と、印刷された紙の下面をコーティングする第１のニスコーティング手段２３と、印刷された紙の上面をコーティングする第２のニスコーティング手段２４とによって構成されている。
【００２５】
第１のニスコーティング手段２３は、ゴム圧胴２２と圧胴１０ｂの対接点から紙の搬送方向上流側においてゴム圧胴２２と対接する第１のニス膜形成胴２５と、この第１のニス膜形成胴２５に対接するアニロックスローラ２６と、このアニロックスローラ２６にニスを供給するチャンバーコータ２７とから構成されている。したがって、チャンバーコータ２７からアニロックスローラ２６に供給されたニスは、第１のニス膜形成胴２５を介してゴム圧胴２２の周面に転移される。
【００２６】
第２のニスコーティング手段２４は、ゴム圧胴２２と圧胴１０ｂの対接点から紙の搬送方向下流側においてゴム圧胴２２と対接する第２のゴム胴としてのゴム胴２８と、このゴム胴２８と対接する第２のニス膜形成胴２９と、この第２のニス膜形成胴２９に対接するアニロックスローラ３０と、このアニロックスローラ３０にニスを供給するチャンバーコータ３１とからなる。
【００２７】
したがって、チャンバーコータ３１からアニロックスローラ３０に供給されたニスは、第２のニス膜形成胴２９を介してゴム胴２８に転移され、このゴム胴２８とゴム圧胴２２の対接点を通過する印刷された紙の上面にコーティングされる。
【００２８】
このゴム胴２８とゴム圧胴２２の対接点を紙が通過するときに、ゴム胴２８の印圧によって、上述した第１のニスコーティング手段２３の第１のニス膜形成胴２５からゴム圧胴２２の周面に転移されたニスが、印刷された紙の下面にコーティングされる。
【００２９】
次に、図１および図３ないし図８を用いて、本発明の特徴である乾燥装置３５について説明する。
【００３０】
排紙部５には、図１に示すように、コーティング部４と排紙パイル２１との間には、紙の上面および下面を乾燥するための乾燥装置３５が設けられており、この乾燥装置３５は、紙の搬送方向（矢印Ａ方向）上流側から下流側に向かって順次位置付けられた第１の乾燥機３５Ａおよび第２の乾燥機３５Ｂならびに第３の乾燥機３５Ｃによって構成されている。
【００３１】
第１の乾燥機３５Ａは、図３に示すように、紙の搬送経路となる排紙チェーン２０の下方に設けられ紙の下面に塗布されたニスを乾燥するための下面乾燥機３６Ａと、排紙チェーン２０の上方に設けられ紙の上面に塗布されたニスを乾燥するための上面乾燥機３７Ａとによって構成されている。
【００３２】
下面乾燥機３６Ａには、紙の搬送方向上流側から下流側に向かって設けられた透明板としての５枚の耐熱ガラス３８Ａないし３８Ｅと、これら各耐熱ガラス３８Ａないし３８Ｅの紙の搬送方向下流側に位置付けられた金属によって形成された５つの案内板３９Ａないし３９Ｅとが備えられている。
【００３３】
これら耐熱ガラス３８Ａないし３８Ｅと案内板３９Ａないし３９Ｅとは、図５に示すように、共に細長い長方形で幅方向が紙４０の幅よりもやや長く形成されており、端面が互いに密着した状態で左右のフレーム４１，４１間に支持部材４２Ａを介して取り付けられている。
【００３４】
これら耐熱ガラス３８Ａないし３８Ｅと、案内板３９Ａないし３９Ｅとの上面は、排紙チェーン２０の走行方向（矢印Ａ方向）と平行となるように同一平面をなすように配設されている。
【００３５】
これら案内板３９Ａないし３９Ｅには、多数の吐出孔４３Ａないし４３Ｅが穿孔されており、これら吐出孔４３Ａないし４３Ｅからは、案内板３９Ａないし３９Ｅのそれぞれに設けられた横吹ノズル４４Ａないし４４Ｅから供給された空気４５Ａないし４５Ｅが吐出される。
【００３６】
吐出孔４３Ａないし４３Ｅから吐出された空気４５Ａないし４５Ｅは、図５に示すように、紙４０の幅方向と紙４０の搬送方向上流側（矢印Ａ方向と反対側）との中間方向、すなわち紙４０の搬送方向上流側と略４５°の角度をなす方向を指向しかつ図８に示すように、搬送された紙４０の下面を沿うようにして、案内板３９Ａないし３９Ｅおよび耐熱ガラス３８Ａないし３８Ｅの上方を通過する。
【００３７】
上記した５つの耐熱ガラス３８Ａないし３８Ｅのうち３つの耐熱ガラス３８Ｂないし３８Ｄの下方のそれぞれには、赤外線ランプとからなる３つの下面乾燥用ランプ４６Ａないし４６Ｃが設けられている。
【００３８】
紙の搬送方向上流側から、下面乾燥用ランプ４６Ａと耐熱ガラス３８Ｂと案内板３９Ｂとが１番目の下面乾燥用ユニット５１Ａを構成し、下面乾燥用ランプ４６Ｂと耐熱ガラス３８Ｃと案内板３９Ｃとが２番目の下面乾燥用ユニット５１Ｂを構成し、下面乾燥用ランプ４６Ｃと耐熱ガラス３８Ｄと案内板３９Ｄとが３番目の下面乾燥用ユニット５１Ｃを構成している。
【００３９】
図７において、４７は第１の下面用ブロアであって、給気管４７ａを介して、上記した横吹ノズル４４Ａないし４４Ｅのうち、横吹ノズル４４Ａ，４４Ｂ，４４Ｄ，４４Ｅのそれぞれに接続されている。給気管４７ａには、ヒータ４８が備えられており、このヒータ４８によって給気管４７ａ内を通過する空気が加熱されることにより、第１の下面用ブロア４７から横吹ノズル４４Ａ，４４Ｂ，４４Ｄ，４４Ｅに高温の空気が供給される。
【００４０】
４９は第２の下面用ブロアであって、給気管４９ａを介して横吹ノズル４４Ｃに接続されており、横吹ノズル４４Ｃにはこの第２の下面用ブロア４９から常温の空気が供給される。この横吹ノズル４４Ｃの第１の案内板としての案内板３９Ｃの紙の搬送方向上流側に隣接する上記した案内板３９Ｂが、請求項４に記載された第２の案内板に相当し、この案内板３９Ｂの吐出孔４３Ｂが第２の吐出孔に相当し、この吐出孔４３Ｂからは上記したように高温の空気４５Ｂが吐出される。また、第１の案内板３９Ｃの吐出孔４３Ｃが、請求項１の第１の吐出孔に相当する。
【００４１】
５０，５０は案内板３９Ａないし３９Ｅの幅方向の両端側に設けられた排気ダクトであって、排気管４７ｂおよび排気管４９ｂを介して、第１の下面用ブロア４７および第２の下面用ブロア４９のそれぞれに接続されている。５２は紙４０の搬送経路２０の上方に設けられた排気ダクトであって、ファン５３によってこの排気ダクト５２から空気が排出される。
【００４２】
次に、図３を用いて上面乾燥機３７Ａについて説明する。
【００４３】
上面乾燥機３７Ａは、上記した下面乾燥機３６Ａと対向するように、紙４０の搬送経路２０の上側に設けられており、４つの上面用空気吹き手段５５Ａないし５５Ｄと、赤外線ランプとからなる３つの上面乾燥用ランプ５６Ａないし５６Ｃとが備えられている。
【００４４】
これら上面用空気吹き手段５５Ａないし５５Ｄと、上面乾燥用ランプ５６Ａないし５６Ｃとは、紙４０の搬送方向（矢印Ａ方向）に交互に設けられるように、左右のフレーム４１，４１間に支持部材５７Ａを介して取り付けられている。
【００４５】
４つの上面用空気吹き手段５５Ａないし５５Ｄは、上記した下面乾燥機３６Ａの５枚の耐熱ガラス３８Ａないし３８Ｅのうちの４枚の耐熱ガラス３８Ｂないし３８Ｅのそれぞれに対向している。また、３つの上面乾燥用ランプ５６Ａないし５６Ｃは、下面乾燥機３６Ａの５つの案内板３９Ａないし３９Ｅのうちの３つの案内板３９Ｂないし３９Ｄのそれぞれに対向している。
【００４６】
紙の搬送方向上流側から、上面用空気吹き手段５５Ａと上面乾燥用ランプ５６Ａとが１番目の上面乾燥用ユニット５４Ａを構成しており、上記した下面乾燥機３６Ａの１番目の下面乾燥ユニット５１Ａに対向している。また、上面用空気吹き手段５５Ｂと上面乾燥用ランプ５６Ｂとが２番目の上面乾燥用ユニット５４Ｂを構成しており、上記した下面乾燥機３６Ａの２番目の下面乾燥ユニット５１Ｂに対向している。また、上面用空気吹き手段５５Ｃと上面乾燥用ランプ５６Ｃとが３番目の上面乾燥用ユニット５４Ｃを構成しており、上記した下面乾燥機３６Ａの３番目の下面乾燥ユニット５１Ｃに対向している。
【００４７】
上面用空気吹き手段５５Ａないし５５Ｄは、図６に示すように、第１の上面用ブロア５７および第２の上面用ブロア５８と、これらブロア５７，５８から空気が供給されるダクト６０Ａないし６０Ｄと、これらダクト６０Ａないし６０Ｄに供給された空気６２Ａないし６２Ｄを搬送経路２０に搬送された紙４０の上面全体に上方から吹き付けるためのノズル６１Ａないし６１Ｄとによって構成されている。
【００４８】
第１の上面用ブロア５７は、給気管５７ａを介して、上記したダクト６０Ａないし６０Ｄのうち、１番目および２番目ならびに４番目の上面用空気吹き手段５５Ａ，５５Ｂ，５５Ｄのダクト６０Ａ，６０Ｂ，６０Ｄのそれぞれに接続されている。このうち、２番目の上面用空気吹き手段５５Ｂが、請求項７記載の第１の上面用空気吹き手段に相当する。
【００４９】
給気管５７ａには、ヒータ５９が備えられており、このヒータ５９によって給気管５７ａ内を通過する空気を加熱することにより、第１の上面用ブロア５７からダクト６０Ａ，６０Ｂ，６０Ｄに高温の空気が供給される。
【００５０】
第２の上面用ブロア５８は、給気管５８ａを介して３番目の上面用空気吹き手段５５Ｃのダクト６０Ｃに接続されており、このダクト６０Ｃには第２の上面用ブロア５８から常温の空気が供給される。この常温の空気を吹き付ける３番目の上面用空気吹き手段５５Ｃが、上記した高温の空気を吹き付ける２番目の上面用空気吹き手段５５Ｂの紙の搬送方向下流側に隣接する請求項７記載の第２の上面用空気吹き手段に相当する。
【００５１】
第１の上面用ブロア５７の排気管５７ｂと、第２の上面用ブロア５８の排気管５８ｂとは、上記した排気ダクト５０，５０に接続されている。
【００５２】
次に、このように構成された第１の乾燥機３５Ａによって両面をコーティングされた紙を乾燥するための動作を説明する。
【００５３】
図２に示すコーティング部４において、上面および下面の両面がコーティングされた紙は、ゴム圧胴２２のくわえ爪から排紙チェーン２０の排紙爪３２にくわえ替えられ、図３に示すように、矢印Ａ方向に搬送され、第１の乾燥機３５Ａ内に搬送される。
【００５４】
第１の乾燥機３５Ａにおいては、下面乾燥機３６Ａの案内板３９Ａないし３９Ｅの吐出孔４３Ａないし４３Ｅから吐出された空気４５Ａないし４５Ｅが、紙４０の下面を沿うように流れ、案内板３９Ａないし３９Ｅの上面を通過し、上面乾燥機３７Ａの上面用空気吹き手段５５Ａないし５５Ｄからの空気６２Ａないし６２Ｄが、紙４０の上面全体に上方から吹き付けられている。このように、紙４０の下面を沿うように空気４５Ａないし４５Ｅが通過し、かつ紙４０の上面全体に空気６２Ａないし６２Ｄが吹き付けられることにより、紙４０は案内板３９Ａないし３９Ｅから浮き上がった状態で搬送される。これを図８を用いて説明する。
【００５５】
すなわち、図８（ａ）に示すように、案内板３９Ａないし３９Ｅの吐出孔４３Ａないし４３Ｅから空気４４Ａないし４４Ｅが、紙４０の下面を沿うように吐出され案内板３９Ａないし３９Ｅに沿って通過すると、式（１）で表されるベルヌーイの定理により、空気４５Ａないし４５Ｅの風速が速ければ速いほど圧力が低下し、案内板３９Ａないし３９Ｅ上では圧力が低下するため、案内板３９Ａないし３９Ｅの近傍に位置する紙４０が吸い寄せられる。
【００５６】
この場合、空気４５Ａないし４５Ｅが紙４０の搬送方向上流側（矢印Ａ方向と反対方向）に流れるから、案内板３９Ａないし３９Ｅの上流側に位置する耐熱ガラス３８Ａないし３８Ｅ上でも紙４０が耐熱ガラス３８Ａないし３８Ｅに吸い寄せられる。
【００５７】
【数１】
ｖ２／２ｇ＋ｐ／γ＝一定    式１
ｖ：風速、ｐ：圧力
【００５８】
この状態で、同図（ｂ）に示すように、紙４０を案内板３９Ａないし３９Ｅに近づくように押えつけようとすると、案内板３９Ａないし３９Ｅの上面と紙４０との間に形成された空気４５Ａないし４５Ｅの流路が狭められるから、流路内の空気圧が高くなり紙４０を上昇させる力が発生する。
【００５９】
したがって、上面乾燥機３７Ａの上面用空気吹き手段５５Ａないし５５Ｄからの空気６２Ａないし６２Ｄが、上方から紙４０に吹き付けられることにより、紙４０が案内板３９Ａないし３９Ｅおよび耐熱ガラス３８Ａないし３８Ｅと接触することなく、案内板３９Ａないし３９Ｅおよび耐熱ガラス３８ないし３８Ｅから一定の高さに浮き上がった状態で搬送される。このため、紙４０がこの第１の乾燥機３５Ａ内を搬送されているときに、紙４０の下面に塗布したニスの剥離や、下面側に傷が付いたりすることを防止できる。
【００６０】
上述したように、案内板３９Ａないし３９Ｅの吐出孔４３Ａないし４３Ｅから吐出された空気４５Ａないし４５Ｅは、図５に示すように、紙４０の幅方向と紙４０の搬送方向上流側（矢印Ａ方向と反対方向）との中間方向、すなわち紙４０の搬送方向上流側と略４５°の角度をなす方向を指向して流れる。
【００６１】
したがって、耐熱ガラス３８Ａないし３８Ｅの方向に流れるとともに、紙４０の幅方向へも流れ、紙４０の幅方向の両端から放出され、図７に示すように、排気ダクト５０内に吸引されて排気され、一部は上方の排気ダクト５２から排気される。
【００６２】
このように、空気４５Ａないし４５Ｅが紙４０の幅方向の両端から放出されるため、空気４５Ａないし４５Ｅが、紙４０と案内板３９Ａないし３９Ｅおよび耐熱ガラス３８Ａないし３８Ｅとの間に滞留するようなことがない。このため、紙４０は案内板３９Ａないし３９Ｅおよび耐熱ガラス３８Ａないし３８Ｅから一定の高さに浮き上がった状態が保持されて搬送される。
【００６３】
また、耐熱ガラス３８Ａないし３８Ｅと案内板３９Ａないし３９Ｅとの上面が紙４０の搬送経路２０の走行方向（矢印Ａ方向）と平行となるように同一平面をなすように配設されているため、吐出孔４３Ａないし４３Ｅから吐出された空気４５Ａないし４５Ｅに乱流が発生しない。
【００６４】
したがって、紙４０が上下にばたつくようなことがないから、紙４０の紙尻が案内板３９Ａないし３９Ｅおよび耐熱ガラス３８Ａないし３８Ｅに接触することを防止できるため、紙４０に傷が付いたり、ニスが剥離したりすることを防止できる。上面用空気吹き手段５５Ａないし５５Ｄの給気ダクト６１Ａないし６１Ｄから吹き付けられた空気６２Ａないし６２Ｄは、上方の排気ダクト５２と幅方向の排気ダクト５０から排気される。
【００６５】
このようにして第１の乾燥機３５Ａ内を搬送される紙４０の下面は、１番目ないし３番目の下面乾燥ユニット５１Ａないし５１Ｃの下面乾燥用ランプ４６Ａないし４６Ｃからの赤外線が照射されることによって、これらの赤外線の熱作用によって乾燥が促進される。同時に、紙４０の搬送方向上流側に設けられた１番目および２番目の案内板３９Ａ，３９Ｂの吐出孔４３Ａ，４３Ｂから吐出される高温の空気４５Ａ，４５Ｂによっても、紙４０の下面が乾燥させられる。
【００６６】
ここで、２番目および４番目の案内板３９Ｂ，３９Ｄは、これに対向して設けられた上面乾燥用ランプ５６Ａ，５６Ｃによって加熱されるから、加熱されたこれら案内板３９Ｂ，３９Ｄによっても紙４０の下面の乾燥がより促進される。
【００６７】
このように下面乾燥用ランプ４６Ａないし４６Ｃからの赤外線が照射されたり、高温の空気４５Ａ，４５Ｂ，４５Ｄが吹き付けられた紙４０の下面には、第２の案内板としての３番目の案内板３９Ｃの第２の吐出孔としての吐出孔４３Ｃから常温の空気４５Ｃが吹き付けられる。このため、紙４０の下面が冷却されるから、紙４０の下面への過剰な加熱による紙４０の硬化を防止できる。
【００６８】
ここで、３番目の案内板３９Ｃを通過した紙４０の下面に未乾燥な部分が発生した場合には、４番目および５番目の案内板３９Ｄ，３９Ｅの吐出孔４３Ｄ，４３Ｅから吐出される高温の空気４５Ｄ，４５Ｅによって、この未乾燥な部分の乾燥がなされる。
【００６９】
一方、第１の乾燥機３５Ａ内を搬送される紙４０の上面は、上面乾燥用ランプ５６Ａないし５６Ｃからの赤外線が照射されることによって、この赤外線の熱作用によって乾燥が促進される。同時に、紙４０の搬送方向上流側に設けられた１番目および２番目の上面用空気吹き手段５５Ａ，５５Ｂから吹き付けられる高温の空気６２Ａ，６２Ｂによっても紙４０の上面が乾燥させられる。
【００７０】
このように、上面乾燥用ランプ５６Ａないし５６Ｃからの赤外線が照射され、かつ高温の空気６２Ａ，６２Ｂが吹き付けられた紙４０の上面には、第２の上面用空気吹き手段としての３番目の上面用空気吹き手段５５Ｃから常温の空気６２Ｃが吹き付けられる。このため、紙４０の上面が冷却されるから紙４０の上面への過剰な加熱による紙４０の硬化を防止できる。
【００７１】
ここで、３番目の上面乾燥用ランプ５６Ｃの下側を通過した紙４０の上面に未乾燥な部分が発生した場合には、４番目の上面用空気吹き手段５５Ｄから吹き付けられる高温の空気６２Ｄによって、この未乾燥な部分の乾燥がなされる。
【００７２】
なお、この第１の乾燥機３５Ａの下面乾燥機３６Ａにおいて、紙４０の搬送方向上流側から１番目と５番目に位置する横吹ノズル４４Ａ，４４Ｅの上流に、二点鎖線で示した２つの下面乾燥用ランプ４６，４６は、本実施の形態においては設置されていないが、必要に応じて設置が可能であることを示したものである。
【００７３】
次に、図３を用いて第２の乾燥機３５Ｂを説明する。
第２の乾燥機３５Ｂは、紙４０の搬送経路２０の下方に設けられた下面乾燥機３６Ｂと、この下面乾燥機３６Ｂに対向するように紙４０の搬送経路２０の上方に設けられた上面乾燥機３７Ｂとによって構成されている。
【００７４】
下面乾燥機３６Ｂは、紙４０の搬送方向（矢印Ａ方向）に交互に設けられた５つの耐熱ガラス３８Ｆないし３８Ｊおよび案内板３９Ｆないし３９Ｊと、紙４０の搬送方向上流側から１番目と２番目に位置する２枚の耐熱ガラス３８Ｆ，３８Ｇの下方に設けた２つの下面乾燥用ランプ４６Ｄ，４６Ｅと、５つの案内板３９Ｆないし３９Ｊに空気を供給する５つの横吹ノズル４４Ｆないし４４Ｊとによって概ね構成されている。
【００７５】
これら５つの耐熱ガラス３８Ｆないし３８Ｉと、５つの案内板３９Ｆないし３９Ｊと、２つの下面乾燥用ランプ４６Ｄ，４６Ｅとは、左右のフレーム４１，４１間に支持部材４２Ｂを介して取り付けられている。
【００７６】
５つの横吹ノズル４４Ｆないし４４Ｊのうち、２番目の横吹ノズル４４Ｇには、上記した第１の下面用ブロア４７から高温の空気が供給され、他の横吹ノズル４４Ｆ，４４Ｈないし４４Ｊには、第２の下面用ブロア４９から常温の空気が供給される。
【００７７】
紙の搬送方向上流側から、下面乾燥用ランプ４６Ｄと耐熱ガラス３８Ｆと案内板３９Ｆとが１番目の下面乾燥用ユニット５１Ｄを構成し、下面乾燥用ランプ４６Ｅと耐熱ガラス３８Ｇと案内板３９Ｇとが２番目の下面乾燥用ユニット５１Ｅを構成している。
【００７８】
上面乾燥機３７Ｂには、２つの赤外線ランプである上面乾燥用ランプ５６Ｄ，５６Ｅと、５つの上面用空気吹き手段５５Ｅないし５５Ｉとが、左右のフレーム４１，４１間に支持部材５７Ｂを介して取り付けられている。
【００７９】
２つの上面乾燥用ランプ５６Ｄ，５６Ｅは、上記した下面乾燥機３６Ｂの１番目および２番目の案内板３９Ｆ，３９Ｇのそれぞれに対向している。５つの上面用空気吹き手段５５Ｅないし５５Ｉは、下面乾燥機３６Ｂの各耐熱ガラス３８Ｆないし３８Ｊに対向している。
【００８０】
これら５つの上面用空気吹き手段５５Ｅないし５５Ｉのうち、２番目の上面用空気吹き手段５５Ｆには、上記した第１の上面用ブロア５７から高温の空気が供給され、他の上面用空気吹き手段５５Ｅおよび上面用空気吹き手段５５Ｇないし５５Ｉには、第２の上面用ブロア５８から常温の空気が供給される。
【００８１】
紙の搬送方向上流側から、上面用空気吹き手段５５Ｅと上面乾燥用ランプ５６Ｄとが４番目の上面乾燥用ユニット５４Ｄを構成しており、上記した下面乾燥機３６Ｂの１番目の下面乾燥用ユニット５１Ｄに対向している。また、上面用空気吹き手段５５Ｆと上面乾燥用ランプ５６Ｅとが２番目の上面乾燥用ユニット５４Ｅを構成しており、上記した下面乾燥機３６Ｂの２番目の下面乾燥用ユニット５１Ｅに対向している。
【００８２】
このように構成することにより、第１の乾燥機３５Ａから第２の乾燥機３５Ｂに紙４０が搬送されると、案内板３９Ｆないし３９Ｊの吐出孔４３Ｆないし４３Ｊから空気４５Ｆないし４５Ｊが吐出され、上面用空気吹き手段５５Ｅないし５５Ｉから空気６２Ｅないし６２Ｉ（図示せず）が吹き付けられる。
【００８３】
したがって、上述した第１の乾燥機３５Ａと同様に、紙４０は案内板３９Ｆないし３９Ｊおよび耐熱ガラス３８Ｆないし３８Ｊから、一定の高さに浮き上がった状態が保持されて搬送される。このため、紙４０がこの第２の乾燥機３５Ｂ内を搬送されているときに、紙４０の下面に塗布したニスの剥離や、下面側に傷が付いたりすることを防止できる。
【００８４】
この状態で搬送される紙４０の下面は、下面乾燥用ランプ４６Ｄ，４６Ｅの赤外線の熱作用によって乾燥が促進される。同時に、１番目の乾燥ユニット５１Ｄの案内板３９Ｇの吐出孔４３Ｇから吐出された高温の空気４５Ｇ（いずれも図示せず）によっても乾燥され、上述した第１の乾燥機３５Ａの下面乾燥機３６Ａによって乾燥しきれなかった未乾燥部分が乾燥させられる。
【００８５】
ここで、この２番目の案内板３９Ｇは、これに対向して設けられた上面乾燥用ランプ５６Ｅによって加熱されるから、加熱されたこの案内板３９Ｇによって紙４０の下面の乾燥がより促進される。
【００８６】
この場合、１番目の案内板３９Ｆの吐出孔４３Ｆから吐出される常温の空気４５Ｆは、この案内板３９Ｆの紙の搬送方向上流側に位置する上記した案内板３９Ｄ，３９Ｅの吐出孔４３Ｄ，４３Ｅから吐出される高温の空気４５Ｄ，４５Ｅによって加熱された紙４０の下面を冷却する。
【００８７】
また、３番目ないし５番目の案内板３９Ｈないし３９Ｊの吐出孔４３Ｈないし４３Ｊから吐出される常温の空気４５Ｈないし４５Ｊは、３番目の案内板３９Ｈの紙の搬送方向上流側に隣接する案内板３９Ｇの吐出孔４３Ｇから吐出された高温の空気４５Ｇおよび下面乾燥用ランプ４６Ｄ，４６Ｅによって加熱された紙４０の下面を冷却する。このため、紙４０の下面への過剰な加熱による紙４０の硬化を防止できる。
【００８８】
一方、紙４０の上面は、上面乾燥用ランプ５６Ｄ，５６Ｅから照射される赤外線の熱作用によって乾燥が促進される。同時に、上面用空気吹き手段５５Ｆから吹き付けられた高温の空気６２Ｆによって乾燥され、上述した第１の乾燥機３５Ａの上面乾燥機３７Ａによって乾燥しきれなかった未乾燥部分が乾燥させられる。
【００８９】
この場合、１番目の上面用空気吹き手段５５Ｅから吐出される常温の空気６２Ｅは、この上面用空気吹き手段５５Ｅの紙の搬送方向上流側に位置する上記した上面用空気吹き手段５５Ｄから吐出された高温の空気６２Ｄによって加熱された紙４０の上面を冷却する。
【００９０】
また、３番目ないし５番目の上面用空気吹き手段５５Ｇ，５５Ｈ，５５Ｉから吐出された常温の空気６２Ｇ，６２Ｈ，６２Ｉは、３番目の上面用空気吹き手段５５Ｇの紙の搬送方向上流側に隣接する上面用空気吹き手段５５Ｆから吐出された高温の空気６２Ｆおよび上面乾燥用ランプ５６Ｄ，５６Ｅによって加熱された紙４０の上面を冷却する。このため、紙４０の上面への過剰な加熱による紙４０の硬化を防止できる。
【００９１】
なお、この第２の乾燥機３５Ｂの下面乾燥機３６Ｂにおいて、紙４０の搬送方向上流側から３番目ないし５番目に位置する横吹ノズル４４Ｈないし４４Ｊの上流に、二点鎖線で示した３つの下面乾燥用ランプ４６は、本実施の形態においては設置されていないが、必要に応じて設置が可能であることを示したものである。
【００９２】
次に、図４を用いて第３の乾燥機３５Ｃを説明する。
第３の乾燥機３５Ｃは、紙４０の搬送経路２０の下方に設けられた下面乾燥機３６Ｃと、この下面乾燥機３６Ｃに対向するように紙４０の搬送経路２０の上方に設けられた上面乾燥機３７Ｃとによって構成されている。
【００９３】
下面乾燥機３６Ｃには、紙４０の搬送方向（矢印Ａ方向）に交互に設けられた５枚の耐熱ガラス３８Ｋないし３８Ｏおよび５つの案内板３９Ｋないし３９Ｏとが備えられている。これら耐熱ガラス３８Ｋないし３８Ｏおよび案内板３９Ｋないし３９Ｏは、左右のフレーム４１，４１に固定された支持部材４２Ｃに取り付けられており、案内板３９Ｋないし３９Ｏに空気を供給する５つの横吹ノズル４４Ｋないし４４Ｏが設けられている。これら横吹ノズル４４Ｋないし４４Ｏには、上記した第２の下面用ブロア４９から常温の空気が供給される。
【００９４】
上面乾燥機３７Ｃには、下面乾燥機３６Ｃの各耐熱ガラス３８Ｋないし３８Ｏに対向する５つの上面用空気吹き手段５５Ｊないし５５Ｎが、左右のフレーム４１，４１間に支持部材５７Ｃを介して取り付けられている。これら上面用空気吹き手段５５Ｊないし５５Ｎには、上記した第２の上面用ブロア５８から常温の空気が供給される。
【００９５】
このように構成されていることにより、第２の乾燥機３５Ｂから第３の乾燥機３５Ｃに紙４０が搬送されると、上述した第１および第２の乾燥機３５Ａ，３５Ｂと同様に、案内板３９Ｋないし３９Ｏの吐出孔４３Ｋないし４３Ｏから空気４５Ｋないし４５Ｏが吐出される。
【００９６】
また、上面用空気吹き手段５５Ｊないし５５Ｎから空気６２Ｊないし６２Ｎが吹き付けられることによって、紙４０は耐熱ガラス３８Ｋないし３８Ｏおよび案内板３９Ｋないし３９Ｏから一定の高さに浮き上がった状態が保持されて搬送される。このため、紙４０がこの第３の乾燥機３５Ｃ内を搬送されているときに、紙４０の下面に塗布したニスの剥離や、下面側に傷が付いたりすることを防止できる。
【００９７】
この第３の乾燥機３５Ｃにおいては、乾燥用ランプが設けられておらず、かつ案内板３９Ｋないし３９Ｏの吐出孔４３Ｋないし４３Ｏから吐出される空気４５Ｋないし４５Ｏの温度は常温である。また、上面用空気吹き手段５５Ｊないし５５Ｎから吹き付けられる空気６２Ｊないし６２Ｎの温度も常温であるから、紙４０の上面および下面を乾燥させる機能は有しておらず、紙４０の搬送と冷却が行われる。
【００９８】
しかしながら、下面乾燥機３６Ｃの各耐熱ガラス３８Ｋないし３８Ｏの下方には、二点鎖線で示したように、下面乾燥用ランプ４６を設置することが可能なように構成されている。したがって、この第３の乾燥機３５Ｃは、必要に応じて乾燥機としても使用できるように構成されているから、予備的な乾燥機として機能する。
【００９９】
図９および図１０は本発明の第２の実施の形態を示し、図９は枚葉輪転印刷機における乾燥装置の上流側の半分を示す側面図、図１０は同じく乾燥装置の下流側の半分を示す側面図である。
【０１００】
図９および図１０に全体を符号１３５で示す乾燥装置は、紙の搬送方向（矢印Ａ方向）上流側から下流側に向かって順次位置付けられた第１の乾燥機１３５Ａおよび第２の乾燥機１３５Ｂならびに第３の乾燥機１３５Ｃによって構成されている。
【０１０１】
この第２の実施の形態においては、第１の乾燥機１３５Ａに下面乾燥機１３６Ａが備えられ、この下面乾燥機１３６Ａの紙の搬送方向下流側に位置付けられた第２の乾燥機１３５Ｂに、上面乾燥機１３７Ｂが設けられている。
【０１０２】
第１の乾燥機１３５Ａの下面乾燥機１３６Ａには、紙４０の搬送方向（矢印Ａ方向）に交互に設けられた５枚の耐熱ガラス３８Ａないし３８Ｅおよび案内板３９Ａないし３９Ｅとが備えられている。紙４０の搬送方向上流側から１番目と２番目に位置する２枚の耐熱ガラス３８Ａ，３８Ｂの下方には、紫外線ランプである２つの下面乾燥用ランプ６５Ａ，６５Ｂが設けられている。
【０１０３】
５つの案内板３９Ａないし３９Ｅに空気を供給する５つの横吹ノズル４４Ａないし４４Ｅには、上記した第２の下面用ブロア４９から常温の空気が供給される。紙の搬送方向上流側から、下面乾燥用ランプ６５Ａと耐熱ガラス３８Ａと案内板３９Ａとが１番目の下面乾燥用ユニット６８Ａを構成し、下面乾燥用ランプ６５Ｂと耐熱ガラス３８Ｂと案内板３９Ｂとが２番目の下面乾燥用ユニット６８Ｂを構成している。
【０１０４】
第２の乾燥機１３５Ｂは、紙４０の搬送経路２０の下方に設けられた下面乾燥機１３６Ｂと、この下面乾燥機１３６Ｂに対向するように紙４０の搬送経路２０の上方に設けられた上面乾燥機１３７Ｂとによって構成されている。
【０１０５】
下面乾燥機１３６Ｂは、紙４０の搬送方向（矢印Ａ方向）に交互に設けられた５枚の耐熱ガラス３８Ｆないし３８Ｊおよび案内板３９Ｆないし３９Ｊと、５つの案内板３９Ｆないし３９Ｊに空気を供給する５つの横吹ノズル４４Ｆないし４４Ｊとによって概略構成されている。これら横吹ノズル４４Ｆないし４４Ｊには、第２の下面用ブロア４９から常温の空気が供給される。これら横吹ノズル４４Ｆないし４４Ｊおよび案内板３９Ｆないし３９Ｊならびに第２の下面用ブロア４９が、請求項７記載の下面用空気吹き手段に相当する。
【０１０６】
上面乾燥機１３７Ｂには、２つの紫外線ランプである上面乾燥用ランプ６７Ａ，６７Ｂと、４つの上面用空気吹き手段５５Ａないし５５Ｄとが備えられている。２つの上面乾燥用ランプ６７Ａ，６７Ｂは、上記した下面乾燥機１３６Ｂの耐熱ガラス３８Ｆ，３８Ｇに対向している。
【０１０７】
４つの上面用空気吹き手段５５Ａないし５５Ｄは、下面乾燥機１３６Ｂの各案内板３９Ｆないし３９Ｉに対向しており、これら上面用空気吹き手段５５Ａないし５５Ｄには、第２の上面用ブロア５８から常温の空気が供給される。
【０１０８】
紙の搬送方向上流側から、上面乾燥用ランプ６７Ａと上面用空気吹き手段５５Ａとが１番目の上面乾燥用ユニット６９Ａを構成し、上面乾燥用ランプ６７Ｂと上面用空気吹き手段５５Ｂとが２番目の上面乾燥用ユニット６９Ｂを構成している。
【０１０９】
第３の乾燥機１３５Ｃは、図１０に示すように、紙４０の搬送経路２０の下方に設けられた下面乾燥機１３６Ｃと、この下面乾燥機１３６Ｃに対向するように紙４０の搬送経路２０の上方に設けられた上面乾燥機１３７Ｃとによって構成されている。
【０１１０】
下面乾燥機１３６Ｃは、紙４０の搬送方向（矢印Ａ方向）に交互に設けられた４枚の耐熱ガラス３８Ｋないし３８Ｎおよび案内板３９Ｋないし３９Ｎと、これら案内板３９Ｋないし３９Ｎに空気を供給する４つの横吹ノズル４４Ｋないし４４Ｎとによって概ね構成されている。
【０１１１】
４つの横吹ノズル４４Ｋないし４４Ｎには、図示を省略した第３の下面用ブロアから常温の空気が供給される。この第３の下面用ブロアからは、常温の空気と、冷却装置によって冷却された低温の空気との両方を供給できるように構成されている。
【０１１２】
上面乾燥機１３７Ｃには、下面乾燥機１３６Ｃの各案内板３９Ｋないし３９Ｎに対向する４つの上面用空気吹き手段５５Ｅないし５５Ｈが備えられており、これら上面用空気吹き手段５５Ｅないし５５Ｈには、図示を省略した第３の上面用ブロアから常温の空気が供給される。この第３の上面用ブロアからは、常温の空気と、冷却装置によって冷却された低温の空気との両方を供給できるように構成されている。
【０１１３】
このように構成されていることにより、排紙チェーン２０によって第１の乾燥機１３５Ａ内に搬送された紙４０は、案内板３９Ａないし３９Ｅの吐出孔４３Ａないし４３Ｅから吐出された空気４５Ａないし４５Ｅによって、案内板３９Ａないし３９Ｅから浮き上がった状態で搬送される。
【０１１４】
案内板３９Ａないし３９Ｅの吐出孔４３Ａないし４３Ｅから吐出された空気４５Ａないし４５Ｅは、耐熱ガラス３８Ａないし３８Ｅにも流れるから、紙４０は耐熱ガラス３８Ａないし３８Ｅから浮き上がった状態で搬送される。このため、紙４０がこの第１の乾燥機１３５Ａ内を搬送されているときに、紙４０の下面に塗布したニスの剥離や、下面側に傷が付いたりすることを防止できる。
【０１１５】
このように第１の乾燥機１３５Ａ内を搬送される紙４０の下面は、下面乾燥用ランプ６５Ａ，６５Ｂからの紫外線が照射されることによって、この紫外線が化学反応を促進するため紙４０の下面に塗布されたニスが硬化し乾燥する。
【０１１６】
ここで、紫外線による乾燥以外に赤外線による乾燥が必要になった場合には、第３ないし５番目の案内板３９Ｃないし３９Ｅの紙４０の搬送方向上流側に、二点鎖線で示すように赤外線ランプ４６を配置してもよい。
【０１１７】
第１の乾燥機１３５Ａ内で下面が乾燥された紙４０は、第２の乾燥機１３５Ｂ内に搬送されると、下面乾燥機１３６Ｂの案内板３９Ｆないし３９Ｊの吐出孔４３Ｆないし４３Ｊから空気４５Ｆないし４５Ｊが吐出され、上面乾燥機１３７Ｂの上面用空気吹き手段５５Ａないし５５Ｄからの空気６２Ａないし６２Ｄが上方から紙４０に向かって吹き付けられている。
【０１１８】
したがって、上述した第１の実施の形態と同様に、紙４０は案内板３９Ｆないし３９Ｊおよび耐熱ガラス３８Ｆないし３８Ｊから浮き上がった状態で搬送される。このため、紙４０がこの第２の乾燥機１３５Ｂ内を搬送されているときに、紙４０の下面に塗布したニスの剥離や、下面側に傷が付いたりすることを防止できる。
【０１１９】
この状態で、第２の乾燥機１３５Ｂ内を搬送される紙４０の上面は、上面乾燥用ランプ６７Ａ，６７Ｂからの紫外線が照射されることによって、この紫外線が化学反応を促進するため紙４０の上面に塗布されたニスが硬化し乾燥する。
【０１２０】
ここで、紫外線による乾燥以外に赤外線による乾燥が必要になった場合には、第２ないし４番目の上面用空気吹き手段５５Ｂないし５５Ｄの紙４０の搬送方向下流側に、二点鎖線で示すように赤外線ランプ４６を配置してもよい。
【０１２１】
第２の乾燥機１３５Ｂから第３の乾燥機１３５Ｃに紙４０が搬送されると、上述した第２の乾燥機１３５Ｂと同様に、案内板３９Ｋないし３９Ｎの吐出孔４３Ｋないし４３Ｎから空気４５Ｋないし４５Ｎが吐出される。
【０１２２】
また、上面用空気吹き手段５５Ｅないし５５Ｈから空気６２Ｅないし６２Ｈが吹き付けられることによって、紙４０は耐熱ガラス３８Ｋないし３８Ｎおよび案内板３９Ｋないし３９Ｎから一定の高さに浮き上がった状態が保持されて搬送される。このため、紙４０がこの第３の乾燥機１３５Ｃ内を搬送されているときに、紙４０の下面に塗布したニスの剥離や、下面側に傷が付いたりすることを防止できる。
【０１２３】
この第３の乾燥機１３５Ｃにおいては、乾燥用ランプが設けられておらず、かつ案内板３９Ｋないし３９Ｏの吐出孔４３Ｋないし４３Ｏから吐出される空気４５Ｋないし４５Ｏの温度が常温である。また、上面用空気吹き手段５５Ｊないし５５Ｎから吹き付けられる空気６２Ｊないし６２Ｎの温度も常温であるから、紙４０の上下面を乾燥させる機能は有しておらず紙４０の搬送が行われる。
【０１２４】
この第３の乾燥機１３５Ｃにおいて、紙４０を冷却する必要が生じた場合には、図示を省略した第３の下面用ブロアから冷却された低温の空気を案内板３９Ｋないし３９Ｎに供給し、吐出孔４３Ｋないし４３Ｎから吐出した低温の空気４５Ｋないし４５Ｎを紙４０の下面に吹き付ける。
【０１２５】
同時に、図示を省略した第３の上面用ブロアから冷却された低温の空気を上面用空気吹き手段５５Ｊないし５５Ｎに供給し、これら上面用空気吹き手段５５Ｊないし５５Ｎから冷却された低温の空気６２Ｊないし６２Ｎを紙４０の上面に吹き付ける。
【０１２６】
図１１は本発明の第３の実施の形態を示し、枚葉輪転印刷機における乾燥装置の上流側の半分を示す側面図である。
【０１２７】
この第３の実施の形態においては、第２の乾燥機２３５Ｂの下面乾燥機２３６Ｂに対して、紙４０の搬送方向上流側である第１の乾燥機２３５Ａに上面乾燥機２３７Ａが備えられている。第１の乾燥機２３５Ａは、紙４０の搬送経路２０の下方に設けられた下面乾燥機２３６Ａと、この下面乾燥機２３６Ａに対向するように紙４０の搬送経路２０の上方に設けられた上面乾燥機２３７Ａとによって構成されている。
【０１２８】
下面乾燥機２３６Ａは、紙４０の搬送方向（矢印Ａ方向）に交互に設けられた５枚の耐熱ガラス３８Ａないし３８Ｅおよび案内板３９Ａないし３９Ｅと、これら案内板３９Ａないし３９Ｅに空気を供給する５つの横吹ノズル４４Ａないし４４Ｅとによって概ね構成されている。これら横吹ノズル４４Ａないし４４Ｅには、上記した第２の下面用ブロア４９から常温の空気が供給される。
【０１２９】
上面乾燥機２３７Ａには、２つの紫外線ランプである上面乾燥用ランプ６７Ａ，６７Ｂと、４つの上面用空気吹き手段５５Ａないし５５Ｄとが備えられている。２つの上面乾燥用ランプ６７Ａ，６７Ｂは、上記した下面乾燥機２３６Ａの耐熱ガラス３８Ａ，３８Ｂに対向している。
【０１３０】
４つの上面用空気吹き手段５５Ａないし５５Ｄは、下面乾燥機２３６Ａの各案内板３９Ａないし３９Ｄに対向しており、これら上面用空気吹き手段５５Ａないし５５Ｄには、上記した第２の上面用ブロア５８から常温の空気が供給される。紙の搬送方向上流側から、上面乾燥用ランプ６７Ａと上面用空気吹き手段５５Ａとが１番目の上面乾燥用ユニット６９Ａを構成し、上面乾燥用ランプ６７Ｂと上面用空気吹き手段５５Ｂとが２番目の上面乾燥用ユニット６９Ｂを構成している。
【０１３１】
第２の乾燥機２３５Ｂの下面乾燥機２３６Ｂには、紙４０の搬送方向（矢印Ａ方向）に交互に設けられた５つの耐熱ガラス３８Ｆないし３８Ｊおよび案内板３９Ｆないし３９Ｊとが備えられている。紙４０の搬送方向上流側から第１，２番目に位置する２つの耐熱ガラス３８Ｆ，３８Ｇの下方には、紫外線ランプである２つの下面乾燥用ランプ６５Ａ，６５Ｂが設けられている。
【０１３２】
５つの案内板３９Ｆないし３９Ｊに空気を供給する５つの横吹ノズル４４Ｆないし４４Ｊには、上記した第２の下面用ブロア４９から常温の空気が供給される。紙の搬送方向上流側から、下面乾燥用ランプ６５Ａと耐熱ガラス３８Ａと案内板３９Ａとが１番目の下面乾燥用ユニット６８Ａを構成し、下面乾燥用ランプ６５Ｂと耐熱ガラス３８Ｂと案内板３９Ｂとが２番目の下面乾燥用ユニット６８Ｂを構成している。
【０１３３】
このように構成されていることにより、排紙チェーン２０によって第１の乾燥機２３５Ａ内に搬送された紙４０は、下面乾燥機２３６Ａの案内板３９Ａないし３９Ｄの吐出孔４３Ａないし４３Ｄから空気４５Ａないし４５Ｄが吐出され、上面乾燥機２３７Ａの上面用空気吹き手段５５Ａないし５５Ｄからの空気６２Ａないし６２Ｄが、上方から紙４０に向かって吹き付けられている。
【０１３４】
したがって、上述した第１の実施の形態と同様に、紙４０は案内板３９Ａないし３９Ｄおよび耐熱ガラス３８Ａないし３８Ｅから浮き上がった状態で搬送される。このため、紙４０がこの第１の乾燥機２３５Ａ内を搬送されているときに、紙４０の下面に塗布したニスの剥離や、下面側に傷が付いたりすることを防止できる。
【０１３５】
この状態で、第１の乾燥機２３５Ａ内を搬送される紙４０の上面は、上面乾燥用ランプ６７Ａ，６７Ｂからの紫外線が照射されることによって、この紫外線が化学反応を促進するため紙４０の上面に塗布されたニスが硬化し乾燥する。
【０１３６】
第１の乾燥機２３５Ａから第２の乾燥機２３５Ｂ内に搬送された紙４０は、案内板３９Ｆないし３９Ｊの吐出孔４３Ｆないし４３Ｊから吐出された空気４５Ｆないし４５Ｊによって、案内板３９Ｆないし３９Ｊおよび耐熱ガラス３８Ｆないし３８Ｊから浮き上がった状態で搬送される。このため、紙４０がこの第２の乾燥機２３５Ｂ内を搬送されているときに、紙４０の下面に塗布したニスの剥離や、下面側に傷が付いたりすることを防止できる。
【０１３７】
このように第２の乾燥機２３５Ｂ内を搬送される紙４０の下面は、下面乾燥用ランプ６５Ａ，６５Ｂからの紫外線が照射されることによって、この紫外線が化学反応を促進するため紙４０の下面に塗布されたニスが硬化し乾燥される。
【０１３８】
図１２は本発明に係る枚葉輪転印刷機における下面乾燥機の他の実施例の一部を示す平面図である。
この実施例の下面乾燥機は、紙４０の搬送方向上流側に設けられた下面乾燥機３６Ａ，１３６Ａ，２３６Ａに適用可能なものである。すなわち、紙４０の搬送方向上流側に設けられた下面乾燥機３６Ａ，１３６Ａ，２３６Ａにおいては、紙４０の搬送方向上流側に空気の流れを遮るものが設けられていない。したがって、吐出孔４３Ａないし４３Ｅ（吐出孔４３Ａ，４３Ｄ，４３Ｅは図示を省略）から空気４５Ａないし４５Ｅ（空気４５Ａ，４５Ｄ，４５Ｅは図示を省略）が矢印Ａと反対方向に吐出されても紙４０の下方に空気が滞留することがない。すなわち、この実施例においては、吐出孔４３Ａないし４３Ｅから吐出される空気４５Ａないし４５Ｅは、図１２に示すように、紙４０の搬送方向上流側（矢印Ａ方向と反対側）を指向している。
【０１３９】
なお、本実施の形態においては、枚葉輪転印刷機１を例示したが、単体のコーティング装置にも適用できる。また、乾燥装置３５，１３５，２３５によって紙４０の両面に塗布したニスを乾燥するようにしたが、インキのみを乾燥するようにしてもよい。また、第１の乾燥機３５Ａの下面乾燥機３６Ａに３つの下面乾燥用ユニット５１Ａ，５１Ｂ，５１Ｃを設け、上面乾燥機３７Ａに３つの上面乾燥用ユニット５４Ａ，５４Ｂ，５４Ｃを設けたが、下面乾燥用ユニットと上面乾燥用ユニットとは少なくとも１つずつ設けるようにすればよい。
【０１４０】
同様に、第２の乾燥機３５Ｂの下面乾燥機３６Ｂに２つの下面乾燥用ユニット５１Ｄ，５１Ｅを設け、上面乾燥機３７Ｂに２つの上面乾燥用ユニット５４Ｄ，５４Ｅを設けたが、下面乾燥用ユニットと上面乾燥用ユニットとを少なくとも１つずつ設けるようにすればよい。さらに、第２および第３の実施の形態において、下面乾燥機１３６Ａ、２３６Ｂに２つの下面乾燥用ユニット６８Ａ，６８Ｂを設け、上面乾燥機１３７Ｂ，２３７Ａに２つの上面乾燥用ユニット６９Ａ，６９Ｂを設けたが、下面乾燥用ユニットと上面乾燥用ユニットとを少なくとも１つずつ設けるようにすればよい。
【０１４１】
また、第１の実施の形態において、乾燥用ランプを赤外線ランプとしたが、紫外線ランプを使用してもよく、その場合には、第１の下面用ブロアー４７と第１の上面用ブロアー５７から供給される空気の温度は常温でもよい。また、第２および第３の実施の形態においては、乾燥用ランプを紫外線ランプとしたが、赤外線ランプを使用してもよく、その場合には、第３の下面用ブロアーと第３の上面用ブロアーから供給される空気の温度は常温と高温とを組み合わせるようにしてもよい。
【０１４２】
【発明の効果】
以上説明したように本発明によれば、シート状物の下面に塗布したニスの剥離や、下面側に傷が付いたりすることを防止できる。
【０１４３】
また、請求項２に係る発明によれば、シート状物の下方に空気が滞留するようなことがない。
【０１４４】
また、請求項３に係る発明によれば、シート状物に傷が付くことを防止できる。
【０１４５】
また、請求項４に係る発明によれば、シート状物の下面が空気によって乾燥されるとともに冷却もされるから、シート状物が硬化するようなことがない。
【０１４６】
また、請求項５に係る発明によれば、シート状物の上下両面を乾燥することができる。
【０１４７】
また、請求項６に係る発明によれば、シート状物の下面の乾燥をより促進することができる。
【０１４８】
また、請求項７に係る発明によれば、シート状物の上面が空気によって乾燥されるとともに冷却されるから、シート状物が硬化するようなことがない。
【図面の簡単な説明】
【図１】本発明に係る枚葉輪転印刷機の側面図である。
【図２】本発明に係る枚葉輪転印刷機におけるコーティング装置の胴の配列を示す側面図である。
【図３】本発明に係る枚葉輪転印刷機における乾燥装置の上流側の半分を示す側面図である。
【図４】本発明に係る枚葉輪転印刷機における乾燥装置の下流側の半分を示す側面図である。
【図５】本発明に係る枚葉輪転印刷機における下面乾燥機の一部を示す平面図である。
【図６】図３におけるＶＩ矢視図である。
【図７】図３における  ＶＩＩ矢視図である。
【図８】本発明に係る枚葉輪転印刷機において、紙が浮き上がる原理を説明するためのモデル図であって、同図（ａ）は案内板の吐出孔から空気が吐出された状態を示し、同図（ｂ）は紙の下側に案内板の吐出孔から吐出された空気が通過し、かつ上面用空気吹き手段から空気を紙の上面に吹き付けた状態を示す。
【図９】本発明に係る枚葉輪転印刷機の第２の実施の形態における乾燥装置の上流側の半分を示す側面図である。
【図１０】本発明に係る枚葉輪転印刷機の第２の実施の形態における乾燥装置の下流側の半分を示す側面図である。
【図１１】本発明に係る枚葉輪転印刷機の第３の実施の形態における乾燥装置の上流側の半分を示す側面図である。
【図１２】本発明に係る枚葉輪転印刷機における下面乾燥機の他の実施例の一部を示す平面図である。
【符号の説明】
１…枚葉輪転印刷機、２…給紙部、３…印刷部、４…コーティング部、５…排紙部、２０…排紙チェーン（紙の搬送経路）、２３…第１のニスコーティング手段、２４…第２のニスコーティング手段、３５…乾燥装置、３５Ａ，１３５Ａ，２３５Ａ…第１の乾燥機、３５Ｂ，１３５Ｂ，２３５Ｂ…第２の乾燥機、３５Ｃ，１３５Ｃ…第３の乾燥機、３６Ａ，３６Ｂ，３６Ｃ…下面乾燥機、３７Ａ，３７Ｂ，３７Ｃ…上面乾燥機、３８，３８Ａないし３８Ｏ…耐熱ガラス板、３９Ａないし３９Ｎ…案内板、４０…紙、４４Ａないし４４Ｎ…横吹ノズル、４５Ａないし４５Ｎ…空気、４６，４６Ａないし４６Ｅ…下面乾燥用ランプ（赤外線ランプ）、４７…第１の下面用ブロア、４８，５９…ヒータ、４９…第２の下面用ブロア、５１Ａ，５１Ｂ，５１Ｃ，５１Ｄ，５１Ｅ…下面乾燥用ユニット、５４Ａ，５４Ｂ，５４Ｃ，５４Ｄ，５４Ｅ…上面乾燥用ユニット、５５Ａないし５５Ｎ…上面用空気吹き手段、５６Ａないし５６Ｅ…上面乾燥用ランプ（赤外線ランプ）、５７…第１の上面用ブロア、５８…第２の上面用ブロア、６５Ａ，６５Ｂ…下面乾燥用ランプ（紫外線ランプ）、６７Ａ，６７Ｂ…上面乾燥用ランプ（紫外線ランプ）、６８Ａ，６８Ｂ…下面乾燥用ユニット、６９Ａ，６９Ｂ…上面乾燥用ユニット。
【図１】
2004291335.tif 000003
【図２】
2004291335.tif 000004
【図３】
2004291335.tif 000005
【図４】
2004291335.tif 000006
【図５】
2004291335.tif 000007
【図６】
2004291335.tif 000008
【図７】
2004291335.tif 000009
【図８】
2004291335.tif 000010
【図９】
2004291335.tif 000011
【図１０】
2004291335.tif 000012
【図１１】
2004291335.tif 000013
【図１２】
2004291335.tif 000014